(57)【要約】【課題】バリアフリーに貢献できる。また、操作レバーが手前側に食み出る、或いは電動サムターンの高さ（いわゆる出寸法、デプス、奥行き）が高くなるという欠点を解消できる。【解決手段】扉の内壁面に固定的に取付けられる操作箱と、扉に取付けられた錠箱内のダルマに直接又は間接的に係合する回転軸と、この回転軸に対して内端部が固定的に取付けられ、一方、外端部が前記操作箱の周方向の側壁に形成した切欠部を介して外部に突出する操作レバーと、この操作レバーの前記外端部に指或いは手を宛がいながら押圧操作すると、前記回転軸が施錠方向又は解錠方向へ回転する錠前の室内側操作機構。【選択図】図４
2008150850.tif 000002
【特許請求の範囲】
【請求項１】
扉の内壁面に固定的に取付けられる操作箱と、扉に取付けられた錠箱内のダルマに直接又は間接的に係合する回転軸と、この回転軸に対して内端部が固定的に取付けられ、一方、外端部が前記操作箱の周方向の側壁に形成した切欠部を介して外部に突出する操作レバーと、この操作レバーの前記外端部に指或いは手を宛がいながら押圧操作すると、前記回転軸が施錠方向又は解錠方向へ回転する錠前の室内側操作機構。
【請求項２】
扉に取付けられる電気錠の操作箱が、本体ケースと、この本体ケースに固定的に設けられるカバーとから成り、前記本体ケースは、制御手段により制御される駆動モータ、駆動モータの駆動力により回転すると共に、扉に取付けられた錠箱内のダルマに直接又は間接的に係合する回転軸を含む動力伝達手段を備える錠前の室内側操作機構に於いて、前記回転軸には操作レバーの内端部が固定的に取付けられ、一方、操作レバーの外端部は前記操作箱の周方向の側壁に形成した切欠部を介して外部に突出し、前記外端部に指或いは手を宛がいながら押圧操作すると、前記回転軸が施錠方向又は解錠方向へ回転する錠前の室内側操作機構。
【請求項３】
請求項２に於いて、回転軸は、入力側の第１回転軸と、これに連結する出力側の第２回転軸とから成り、前記第１回転軸は、操作箱内に位置付けられていることを特徴とする錠前の室内側操作機構。
【発明の詳細な説明】
【技術分野】
【０００１】
本発明は、室内側の操作部材を改良した錠前の室内側操作機構に関する。
【背景技術】
【０００２】
特許文献１の図１乃至図４には、本発明の一実施例と関係のある錠前の室内側操作機構（サムターン装置）が記載されている。特許文献１に記載の発明そのものは、「扉の内壁面に、予め複数本の位置調整螺杆（取付けねじ杆）を有する取付け板を位置調整した上で固着し、その後に、前記取付け板の隅部分に設けられた位置合わせ用板体に対応させて電動サムターンを備えた電気錠を後付け固定することを特徴とする」ものであるが、特に前記図１乃至図４に電気錠と共に、該電気錠の室内側操作機構の一例も開示されている。
【０００３】
この電気錠の操作箱は、箱型形状の本体ケースと、この本体ケースの表面側に固着具を介して固定される曲面状のカバーとから成り、前記本体ケースには、操作手段或いは受信手段と、電源（電池）と、この電源により駆動する駆動モータと、受信手段の信号に基づき、前記駆動モータを制御する回路基板を有する制御手段と、この制御手段により制御され、かつ、前記駆動モータの駆動力により、動力伝達手段（減速機構やクラッチ機構も含む）を介して施錠方向又は解錠方向へ回動する電動サムターンをそれぞれ設ける事項が記載されている。
【０００４】
この公知の電気錠の問題点を指摘する。この種の電気錠の操作箱は、普通一般に扉の内壁面に面付け状態に取付けられる。また、扉に配設されたコントローラとシステム的に組み合わせ、かつ、操作箱の本体ケースには電動サムターン（制御手段の制御信号により、施錠方向又は解錠方向へ回動する操作部材のこと。）が装着されている。
【０００５】
特許文献１に於いても、本体ケースの一端部に嵌合孔を形成し、この嵌合孔に臨むように本体ケースに内設された連動ギヤと係合する円盤状電動サムターンが組み付けられている。
【０００６】
周知のようにサムターン（操作部材）は、錠箱内のダルマと直接又は間接的に係合する回転軸（サムターン軸）と、該回転軸の外端部に固定され、かつ、操作箱の正面側壁から外方向（室内側）に突出する摘み部分（ノブ）を有する。
【０００７】
したがって、サムターンを操作箱に取り付けた場合には、操作箱のカバーの正面側壁（手前側壁）から摘み部分が突出する。この点、特許文献１もサムターンの構造が普通一般のサムターンのそれと多少相違するものの同様である。
【０００８】
そこで、特許文献１では本体ケースの一部にサムターン装着用の嵌合孔を形成し、一方、カバーを曲面状に形成すると共に、本体ケースの嵌合孔に対応している部位に摘み部分用の開口部を形成することにより、極力、摘み部分がカバーの外面から食み出ないように工夫をしている。
【０００９】
このように、電気錠に於いても、操作箱を構成する本体ケース及びカバーをそれぞれ加工しないで、そのまま電動サムターンを本体ケースに取付けると、電動サムターンの高さ（いわゆる出寸法、デプス、奥行き）が高くなることから、「見た目が大きいとの印象」を受け、意匠上好ましくない。
【００１０】
そこで、意匠上の問題点を解消すると、今度は特許文献１のように、本体ケース及びカバーに電動サムターン装着用嵌合孔、開口等を形成しなければならないという問題点が生じる。
【００１１】
なお、電気錠の電動サムターンの操作部は、普通一般の操作部材と同様に、捻り方式の摘み」であることから、指の不自由な人にとっては面倒である。
【００１２】
ところで、玄関等に取り付けらけれる面付け錠の一例として、特許文献２を記載する。面付け錠は、普通一般に、扉の外壁面側のシリンダ錠とセットの状態で扉の内壁面に錠箱が突出して取付けられるものであるが、特許文献２の図面に記載されているように、サムターンは錠箱の正面側壁（操作する者を基準にすると手前の壁面）から、その操作部がさらに突出している。そして、操作部を捻るように操作すると、錠箱内のダルマを介してデッドボルトが進退動する。また、特許文献３は、室内側の操作部材を改良した錠前の室内側操作機構に関するものであるが、この特許文献３に記載の実施例も、施・解錠用の各操作ボタンが、内側取付け座或いは操作箱の正面側壁から著しく突出するという問題点を有している。
【特許文献１】特開２００５−２６４４４４号公報
【特許文献２】特開２００２−１６８０１１号公報
【特許文献３】特開２００３−３４３１４１号公報
【発明の開示】
【発明が解決しようとする課題】
【００１３】
本発明の第１の目的は、バリアフリーを重視し、指を負傷した人、或いは指が不自由な人であっても、室内側操作部材を容易に操作することができることである。第２の目的は、扉の内壁面に固定される内側取付け座或いは操作箱の正面側壁から操作部材が突出して、いわゆる「見た目が大きいとの印象」を一般の需要者に与えないことである。第３の目的は、扉の内壁面に取付けられる電気錠のサムターン用操作箱の正面側壁に開口等を形成する必要がないこと、電動サムターンの高さ（出寸法、デプス、奥行き）を高くしなくてもよいこと、操作部材を簡単に取り付けること等である。
【課題を解決するための手段】
【００１４】
本発明の錠前の室内側操作機構は、扉の内壁面に固定的に取付けられる操作箱と、扉に取付けられた錠箱内のダルマに直接又は間接的に係合する回転軸と、この回転軸に対して内端部が固定的に取付けられ、一方、外端部が前記操作箱の周方向の側壁に形成した切欠部を介して外部に突出する操作レバーと、この操作レバーの前記外端部に指或いは手を宛がいながら押圧操作すると、前記回転軸が施錠方向又は解錠方向へ回転することを特徴とする。
【００１５】
また、本発明の錠前の室内側操作機構は、扉に取付けられる電気錠の操作箱が、本体ケースと、この本体ケースに固定的に設けられるカバーとから成り、前記本体ケースは、制御手段により制御される駆動モータ、駆動モータの駆動力により回転すると共に、扉に取付けられた錠箱内のダルマに直接又は間接的に係合する回転軸を含む動力伝達手段を備える錠前の室内側操作機構に於いて、前記回転軸には操作レバーの内端部が固定的に取付けられ、一方、操作レバーの外端部は前記操作箱の周方向の側壁に形成した切欠部を介して外部に突出し、前記外端部に指或いは手を宛がいながら押圧操作すると、前記回転軸が施錠方向又は解錠方向へ回転することを特徴とする。
【発明の効果】
【００１６】
（Ａ）指を負傷した人、或いは指が不自由な人であっても、室内側操作部材を容易に操作することができる。
（Ｂ）扉の内壁面に固定される内側取付け座或いは操作箱の正面側壁から操作部材が突出して、いわゆる「見た目が大きいとの印象」を一般の需要者に与えないことができる。また、内側取付け座或いは操作箱の正面側壁等に開口部を形成する必要がない。
（Ｃ）第２実施例に於いても、扉の内壁面に取付けられる電気錠のサムターン用操作箱の正面側壁に開口等を形成する必要がない、電動サムターンの高さ（出寸法、デプス、奥行き）を高くしなくてもよい、回転軸及び操作部材を簡単に取り付けること等の利点がある。
【発明を実施するための最良の形態】
【００１７】
以下、図１乃至図３に示す本発明を実施するための最良の形態（第１実施例）により説明する。
【００１８】
（１）発明の実施の環境
図１は発明の実施の環境を示す概略説明図である。図２は使用状態における概略説明図である。図３は、操作部材を操作した場合の説明図である。
【００１９】
図１乃至図３に於いて、１は扉、２は扉の自由端部に組み込まれた錠箱、３は錠箱に相対向する軸受けを介して回転自在に内装されたダルマ、４はダルマ３の駆動腕に係脱するデッドボルトとしての施錠片、５は錠箱２の一側壁の開口部に嵌め込まれた筒状支持体、６は複数本の固着具９を介して前記支持体５の外面に固定された操作箱（内部空間を有する取付け座も含む）、７は内端部側が前記ダルマ３に係合すると共に、外端部側が前記操作箱６の内部空間に水平状態に位置する回転軸、８はその内端部が回転軸７に交差状態に固定された操作レバーである。
【００２０】
（２）基本的構成
第１実施例の基本的構成は、扉１の内壁面１ａに固定的に取付けられる操作箱６と、扉１の内部に取付けられた錠箱２内のダルマ３に直接又は間接的に係合する回転軸７と、この回転軸７に対して内端部が固定的に取付けられ、一方、外端部が前記操作箱６の周方向の側壁に形成した切欠部１２を介して外部に突出する操作レバー８とから成り、この操作レバー８の前記外端部に指或いは手を宛がいながら押圧操作すると、前記回転軸７が施錠方向又は解錠方向へ回転することである。以下、本発明の特定要件について順次説明するが、細部的な事項は図面及びその説明を割愛する。
【００２１】
（３）扉１と錠箱２
本実施例の扉１は、玄関扉、室内のトイレ扉などのように水平方向に回転する開閉体である。図１を基準にすると、１ａが扉の内壁面、１ｂはその外壁面、１ｃが扉の先端面である。したがって、手前に見えるのが室内側の内壁面１ａであり、該内壁面１ａには、錠箱２の開口部に対応して支持体用の開口部１ｄが形成されている。
【００２２】
また、錠箱２は扉１の自由端部の切欠部内に固定的に組み込まれ、その不番のフロントからはデッドボルト４が出没する。周知のように、錠箱２は、一側開口のケース身と、このケース身に合体するケース蓋とから成る。本実施例ではケース蓋の方に支持体用の開口部１ｄと一致する開口部が形成されている。
【００２３】
（４）ダルマとデッドボルト
ダルマ３とデッドボルト４の構成自在に新規事項は存在しない。したがって、これらの部材の詳細は割愛する。デッドボルト４は、ダルマ３の駆動力によって、フロントから突出し（施錠状態）、又は引っ込む（解錠状態）。なお、ダルマ３は、錠箱２に一体成形された軸受け、又は錠箱２に組み付けられた一組の軸受けを介して回転可能に支持されている。
【００２４】
（５）支持体５
支持体５は、本実施例では、筒状に形成された固定筒であり、錠箱２及び扉１の開口部１ｄに嵌め込まれ状態で扉１の内部に位置している。この支持体５の内端部の形状は、図示しないダルマ用の軸受けの位置を考慮して適宜に形成されている。付言すると、支持体５の内端部の形状は、例えば複数個のメネジを有する取り付け柱状に形成され、図示しない複数本のオネジを介してケース身に結合され得る。
【００２５】
一方、支持体の外端部には、複数個の不番のメネジが周方向に所定間隔有して形成され、これらのメネジには、操作箱固定用の固着具９が螺合する。また、支持体５の中央部には、内端部側に環状のストッパーを有する貫通状の支持孔１０が形成され、該支持孔１０に回転軸７の内端部が嵌合している。
【００２６】
（６）操作箱６
操作箱６は、扉１の内壁面１ａに不番の固着具を介して固定される取付けベース板６ａと、この取付けベース板６ａに取り外し可能に固定される本体ケース６ｂとから成る。なお、取付けベース板６ａを本体ケースにし、一方、本体ケース６ｂを蓋体にするか否かは設計変更上の問題である。
【００２７】
本実施例では、本体ケース６ｂの周方向の側壁（以下、「周壁」という。）１１の下部に周方向の切欠部１２を形成している。切欠部１２の位置は特に限定するものではないが、望ましくは、切欠部１２が操作者の視覚に極力訴えないように操作箱６の周壁１１の下部に形成する。一方、前記取付けベース板６ａの中央部（中央部寄りの部位も含む）には、回転軸用の貫通孔１３が形成されている。また、操作箱６は、所要の内部空間１４を有している。なお、操作箱６正面側壁には、錠前の施・解錠状態を示す識別情報（例えば開、閉）が付されていると共に操作レバー用の開口が形成されていない。
【００２８】
（７）回転軸
一部角軸状の回転軸７は、本実施例では、入力側の第１回転軸１８と、この第１回転軸１８に嵌合状態で連結された出力側の第２回転軸１９とから成る。入力側の第１回転軸１８は、操作箱６の貫通孔１３を貫通した状態で外端部側（後端部側、図面上は右側の水平杆）が前記操作箱６の内部空間に水平状態に位置し、内端部側は第１回転軸１８の後端部に形成された角型軸穴に入り込んでいる。
【００２９】
一方、出力側の第２回転軸１９は、中央部が断面段差状に形成され、その先端部はダルマ３の一側壁の嵌合孔に係合している。なお、第２回転軸１９の外面円柱状の後端部に形成された角型軸穴に第１回転軸１８の先端部が嵌入しているが、両軸は適宜に固定されている。
【００３０】
（８）操作レバー８
操作レバー８の形状は、例えば普通一般に見られるような栓抜き形状をしている。したがって、内端部８ａには、第１回転軸１８の外端部側に外嵌合する取付け孔が形成され、この内端部８ａからストレートに連続する中途部８ｂは操作箱６の周壁の切欠部１２を貫通し、中途部８ｂに連続する外端部８ｃは、操作箱６の周壁１１の下部から所要量突出している。なお、本実施例の操作レバー８は、ストレートの長板状に形成されているが、設計如何によっては基端部や中途部を適宜に折り曲げて形成することもできる。
【００３１】
（９）作用
操作レバー８の外端部８ｃに指或いは手を宛がいながら押圧操作すると、回転軸７が施錠方向又は解錠方向へ回転する。
【実施例】
【００３２】
この欄では、図４乃至図７を参照にして、発明の実施の形態で示した第１実施例に構成要件を限定した第２実施例を説明する。なお、同一又は同様の符号を用いて重複する説明を省略する。また、電気錠の公知・周知或いは細部的事項の説明も割愛する。
【００３３】
さて、電気錠の構成に関する一般的な事項については、例えば特許文献１に記載されているものの、特許文献１の記載内容をそのまま援用することができないので、まず、図４、図５を参照にして、電気錠の構成を簡単に説明する。
【００３４】
２０は駆動モータ、２１は伝動歯車を有する出力軸、２２は出力軸の前記伝動歯車に噛合する動力伝達手段である。駆動モータ２０は、制御回路を有する制御手段により制御される。制御手段は、操作箱６Ａ内又は扉の適宜箇所に設けられ、例えば操作箱６Ａ内に設けた受信部からの起動信号を取得すると、駆動モータ２０を起動する。駆動モータ２０の駆動力は、伝動歯車から減速歯車列を構成する動力伝達手段２２を介して回転軸７Ａに伝達される。回転軸７Ａが回転すると、回転軸７Ａの後端部に固定された操作レバーも回転する（このことを「電動操作レバー」という）。
【００３５】
次に、本発明の関係のある部分を説明する。６Ａは扉１の内壁面１ａに面付け状態に取付けられる電気錠の操作箱で、この操作箱６Ａは、本体ケース６ａと、この本体ケース６ａに固定的に設けられるケース状カバー６ｂとから成る。
【００３６】
しかして、前記本体ケース６ａには、特許文献１の実施例と同様に、例えば制御手段により制御される駆動モータ２０、駆動モータ２０の駆動力により回転すると共に、扉１に取付けられた錠箱２内のダルマ３に直接又は間接的に係合する回転軸７Ａを含む動力伝達手段２２を備える錠前の室内側操作機構が設けられている。
【００３７】
なお、操作箱６Ａの正面側壁には錠前の施・解錠状態を示す識別情報（例えば文字）が設けられていると共に、操作レバー用の開口が形成されていない。また回転軸７Ａは動力伝達手段２２を構成する歯車の一つ（大きい歯車２２ａ）と一体であり、かつ、操作箱６Ａ内に水平状態に位置付けられている。
【００３８】
一方、本体ケース６ａに一体的に固定されるケース状カバー６ｂの周壁１１の下部には、操作レバー用の切欠部１２Ａが形成されている。前記操作レバー８Ａは、第１実施例と同様に、その内端部８ａが回転軸７Ａの第１回転軸１８の後端部に固定的に取付けられ、一方、その外端部８ｃは操作箱６Ａの周壁切欠部１２Ａを介して外部に突出している。
【００３９】
そして、第１実施例と同様に、前記外端部８ｃに指或いは手を宛がいながら押圧操作すると、回転軸７Ａが施錠方向又は解錠方向へ回転する。
【００４０】
したがって、第２実施例は、（ａ）電気錠である点、（ｂ）操作レバー８Ａは、電動操作レバー兼用手動レバーである点、（ｃ）この操作レバー８Ａは内端部８ａから外端部８ｃに至るまで複数回折り曲げ形成されている点、（ｄ）少なくとも操作箱６Ａのケース状カバー６ｂの周壁１１に切欠部１２Ａが形成されている点が異なる。
【産業上の利用可能性】
【００４１】
本発明は、主に錠前や建具の業界で利用される。
【図面の簡単な説明】
【００４２】
図１乃至図３は本発明の第１実施例を示す各説明図。図４乃至図７は本発明の第２実施例を示す各説明図。
【図１】第１実施例の斜視からの概略説明図。
【図２】縦断面視からの概略断面説明図。
【図３】操作レバーの位置及び動きを示す説明図。
【図４】第１実施例の周壁の一部を切欠した左側面視からの概略説明図。
【図５】カバーの一部を切欠した正面視からの概略説明図。
【図６】主要部の説明図。
【図７】操作箱の外観、操作レバーの位置及び動きを示す説明図。
【符号の説明】
【００４３】
1…扉、１ａ…扉の内壁面、２…錠箱、３…ダルマ、４…施錠片、５…支持体、６、６Ａ…操作箱、６ａ…取付けベース板（又は本体ケース）、６ｂ…本体ケース（又はカバー）、７、７Ａ…回転軸、８、８Ａ…操作レバー、８ａ…内端部、８ｃ…外端部、８ｂ…中途部、９…固着具、１０…支持孔、１１…周壁、１２、１２Ａ…切欠部、１４…内部空間、１８…第１回転軸、１９…第２回転軸、２０…駆動モータ、２１…出力軸、２２…動力伝達手段。
【図１】
2008150850.tif 000003
【図２】
2008150850.tif 000004
【図３】
2008150850.tif 000005
【図４】
2008150850.tif 000006
【図５】
2008150850.tif 000007
【図６】
2008150850.tif 000008
【図７】
2008150850.tif 000009